(57)【要約】  カスタム広告コンテンツおよび広告窓口情報が識別される（たとえば広告主から受信される）。入力は、前記カスタム広告コンテンツを有する出版広告内に、総合広告窓口情報として前記広告窓口情報の少なくとも一部を含めるように、受信された選択である。さらなる入力は、前記広告窓口情報の少なくとも一部に関連付けられた１つ以上の追跡機構を有効にするように、受信された選択である。前記カスタム広告コンテンツおよび前記広告窓口情報の一部を有する出版広告は、発行者に提供される。前記一部に含まれている広告窓口情報の効果は追跡される。出版広告の効果は報告される。
2011503751.tif 000002
【特許請求の範囲】
【請求項１】
カスタム広告コンテンツを識別するステップと、
広告窓口情報を識別するステップと、
前記カスタム広告コンテンツを有する出版広告内に提供される、前記広告窓口情報の少なくとも一部を選択する入力を受信するステップと、
前記一部に関連付けられた１つ以上の追跡機構を有効にする選択入力を受信するステップと、
前記カスタム広告コンテンツおよび前記一部を有する出版広告を発行者に提供するステップと、
前記一部を使用して前記出版広告の効果を追跡するステップと、
前記出版広告の効果を報告するステップと
を有する動作を１つ以上のコンピュータにおいて実行するステップを具備することを特徴とする方法。
【請求項２】
前記一部はウェブアドレスを有するとともに、
前記出版広告の効果を追跡するステップは、前記ウェブアドレスへのウェブトラフィックを追跡するステップを有することを特徴とする請求項１に記載の方法。
【請求項３】
前記一部はコードを有するとともに、
前記出版広告の効果を追跡するステップは、前記コードの使用を追跡するステップを有することを特徴とする請求項１に記載の方法。
【請求項４】
前記一部は電話番号を有するとともに、
前記出版広告の効果を追跡するステップは、前記電話番号への呼を追跡するステップを有することを特徴とする請求項１に記載の方法。
【請求項５】
前記電話番号はフリーダイヤル番号であり、
前記方法は、
前記一部にフリーダイヤル番号を含める要求を受信するステップと、
前記要求に応答して、前記一部に含めるようにフリーダイヤル番号を選択するとともに、前記フリーダイヤルへの呼を、前記要求をしている広告主に関連する電話番号に転送するステップと
をさらに具備することを特徴とする請求項４に記載の方法。
【請求項６】
前記一部はＳＭＳ情報を有するとともに、
前記出版広告の効果を追跡するステップは、前記ＳＭＳ情報に対応するテキストメッセージを追跡するステップを有することを特徴とする請求項１に記載の方法。
【請求項７】
前記一部はウェブ検索用語を有するとともに、
前記出版広告の効果を追跡するステップは、前記ウェブ検索用語を使用してウェブ検索クエリの増加を追跡するステップを有することを特徴とする請求項１に記載の方法。
【請求項８】
前記一部は、広告窓口情報のアイテムを符号化するバーコードを有するとともに、
前記出版広告の効果を追跡するステップは、前記広告窓口情報のアイテムの効果を追跡するステップを有することを特徴とする請求項１に記載の方法。
【請求項９】
前記一部は、前記出版広告の下部に含まれているフッタに含まれることを特徴とする請求項１に記載の方法。
【請求項１０】
前記一部は、前記出版広告の上部に含まれているヘッダに含まれることを特徴とする請求項１に記載の方法。
【請求項１１】
前記一部は、前記出版広告のサイドに沿って配置されることを特徴とする請求項１に記載の方法。
【請求項１２】
広告窓口情報の一部を識別するステップは、予め収集された広告窓口情報を有するデータストアから前記広告窓口情報を読み出すステップを具備することを特徴とする請求項１に記載の方法。
【請求項１３】
カスタム広告コンテンツを識別するステップと、
広告窓口情報を識別するステップと、
前記カスタム広告コンテンツを有する広告内に提供される、前記広告窓口情報の一部を選択する入力を受信するステップと、
前記一部に関連付けられた１つ以上の追跡機構を有効にする選択入力を受信するステップと、
前記カスタム広告コンテンツおよび前記一部を有する広告を発行者に提供するステップと、
前記一部を使用して前記広告の効果を追跡するステップと、
前記広告の効果を報告するステップと
を有する動作を１つ以上のコンピュータにおいて実行するステップを具備することを特徴とする方法。
【請求項１４】
前記広告は、テレビにおける広告を有することを特徴とする請求項１３に記載の方法。
【請求項１５】
前記広告は、音声広告を有することを特徴とする請求項１３に記載の方法。
【請求項１６】
前記広告は、オンラインで発行された広告であるとともに、インターネットを通じて利用可能であることを特徴とする請求項１３に記載の方法。
【請求項１７】
複数の広告主とのインタフェースに適合したユーザインタフェースと、
前記ユーザインタフェースによって、広告主から広告窓口情報を受信するように構成された総合広告窓口情報モジュールと、
前記総合広告窓口情報モジュールから前記広告窓口情報の少なくとも一部を受信し、前記ユーザインタフェースによって、広告主から広告コンテンツを受信するとともに、前記広告コンテンツおよび前記広告窓口情報の一部を有する広告を出版物の１つ以上の発行者に提供するように構成された広告モジュールと、
前記広告窓口情報の一部を使用して前記広告の効果を追跡するとともに、追跡データを広告主に提供するように構成された追跡モジュールと
を具備することを特徴とするシステム。
【請求項１８】
前記一部はウェブアドレスを有するとともに、
前記広告の効果を追跡するように構成された追跡モジュールは、前記ウェブアドレスへのウェブトラフィックを追跡するように構成された追跡モジュールを具備することを特徴とする請求項１７に記載のシステム。
【請求項１９】
前記一部はコードを有するとともに、
前記広告の効果を追跡するように構成された追跡モジュールは、前記コードの使用を追跡するように構成された追跡モジュールを具備することを特徴とする請求項１７に記載のシステム。
【請求項２０】
前記一部は電話番号を有するとともに、
前記広告の効果を追跡するように構成された追跡モジュールは、前記電話番号への呼を追跡するように構成された追跡モジュールを具備することを特徴とする請求項１７に記載のシステム。
【請求項２１】
前記一部はＳＭＳ情報を有するとともに、
前記広告の効果を追跡するように構成された追跡モジュールは、前記ＳＭＳ情報に対応するテキストメッセージを追跡するように構成された追跡モジュールを具備することを特徴とする請求項１７に記載のシステム。
【請求項２２】
前記一部はウェブ検索用語を有するとともに、
前記広告の効果を追跡するように構成された追跡モジュールは、前記ウェブ検索用語を使用してウェブ検索クエリの増加を追跡するように構成された追跡モジュールを具備することを特徴とする請求項１７に記載のシステム。
【請求項２３】
前記一部は、広告窓口情報のアイテムを符号化するバーコードを有するとともに、
前記広告の効果を追跡するように構成された追跡モジュールは、前記広告窓口情報のアイテムの効果を追跡するように構成された追跡モジュールを具備することを特徴とする請求項１７に記載のシステム。
【請求項２４】
予め収集された広告窓口情報を有するデータストアをさらに具備し、
広告窓口情報の一部を識別するステップは、前記データストアから前記広告窓口情報の一部を読み出すステップを具備することを特徴とする請求項１７に記載のシステム。
【請求項２５】
カスタム広告コンテンツを識別する手段と、
広告窓口情報を識別する手段と、
前記カスタム広告コンテンツを有する出版広告内に提供される、前記広告窓口情報の一部を選択する入力を受信する手段と、
前記一部に関連付けられた１つ以上の追跡機構の有効を選択する入力を受信する手段と、
前記カスタム広告コンテンツ及び前記一部を有する出版広告を発行者に提供する手段と、
前記一部を使用して前記出版広告の効果を追跡する手段と、
前記出版広告の効果を報告する手段と
を具備することを特徴とするシステム。
【発明の詳細な説明】
【技術分野】
【０００１】
本発明は、情報収集に関する。
【背景技術】
【０００２】
広告主は、いくつかの刊行物に広告（以下、「出版広告」）を掲載することを選択し得る。広告主は、掲載された出版広告に反応したビジネスの拡大または問い合わせを受け得るが、一般に広告主は、特定の出版広告が他よりも効果的であったかどうかを知らない。別のシナリオにおいて、広告主は、出版広告を１つの出版物にではあるが数日掲載し得る。この場合もやはり、一般に広告主は、特定の日付または曜日における出版広告の掲載が、他の日付または曜日よりも効果的であるかどうかを知らない。
【発明の概要】
【課題を解決するための手段】
【０００３】
概して、本発明は、一態様において、カスタム広告コンテンツを受信するとともに、広告窓口情報を受信するための処理、コンピュータプログラム製品、およびシステムを特徴とする。カスタム広告コンテンツおよび広告窓口情報が識別される（たとえば広告主から受信される）。入力は、前記カスタム広告コンテンツを有する出版広告内に、総合広告窓口情報として前記広告窓口情報の少なくとも一部を含めるように、受信された選択である。さらなる入力は、前記広告窓口情報の少なくとも一部に関連付けられた１つ以上の追跡機構を有効にするように、受信された選択である。前記カスタム広告コンテンツおよび前記広告窓口情報の一部を有する出版広告は、発行者に提供される。前記一部に含まれている広告窓口情報の効果は追跡される。出版広告の効果は報告される。
【０００４】
本発明の実施例は、以下の利点の一部を有することができる。広告主は、広告、たとえば出版広告の効果を追跡することができる。前記効果は、広告内に含まれる広告窓口情報の様々なアイテムに関して追跡することができる。前記効果は、複数の発行者によって発行された広告に関して、個別に追跡することができる。前記効果は、複数の日付、および／または複数の曜日において発行された広告に関して、個別に追跡することができる。総合広告窓口情報を提供することによって（特に、広告を見たとき、または聞いたときに容易に認識することができる同様の視覚的方式で、総合広告窓口情報が一貫して提供される場合に）、広告の効果を増強することができる。一貫して、総合広告窓口情報は、読者が広告内の窓口情報を見つけようとする期待を抱かせるのにも役立つとともに、読者が窓口情報に気付く、記憶する、および反応する可能性を向上させることができる。
【０００５】
出版広告の分離した部分、たとえばフッタに、総合広告窓口情報を含めることは、広告の美的様相（すなわち、カスタム広告コンテンツ内で見られる）を、読者の反応に関する機能的要件、および広告効果の測定から分離する（創造的・美的デザインは、読者に対して印象およびアピールを向上させることができる）。これは、広告の各コンポーネントが最適化されることを可能にし、従来の広告のようにコンポーネントが混同している場合よりも、より効果的な広告を作成することを可能にする。
【０００６】
広告システムマネージャが、広告主に対して広告を作成するためのテンプレートを提供し、広告の総合広告窓口情報の部分、たとえば標準フッタを自動的に生成し、かつ追跡サービスを提供する実施例では、広告のデザインおよび製作コストを低減することができる。複雑なグラフィックデザインサービスの要求は低減される一方で、複数の発行者にわたって効果的に、かつコスト効率よく広告を掲載することができるようにカスタマイズすることができる。
【０００７】
複数の読者応答メトリック（すなわち、ＵＲＬ、フリーダイヤル番号、ＳＭＳなど）、および販促用メタデータ（すなわち、製品、価格、地域、およびタイムスタンプ（たとえば２次元バーコードに埋め込まれる））の収集ならびに圧縮は、顧客と相互作用する没入型マルチメディアを促進し、顧客が好む方法を通して広告に反応する異種デモグラフィックを可能にする。メタデータは、より総合的にかつより容易に、たとえばデータベースに、保存されるとともに読み出され、全ての立場（すなわち、広告主、発行者、読者、および顧客）にとっての利益とともに、標準化された解析、ならびに経時的な販促の関連性および効果の最適化を促進する。同様に標準化された反応追跡コンポーネント（たとえばフッタ）を有する複数の広告の凝集は、密度の経済、ならびにマーケターおよび顧客グループの両方にとっての増大利益を作ることができる。
【０００８】
１つ以上の実施例の詳細は、添付の図面および以下の記載において説明される。他の特徴は、その記載および図面から、ならびに添付の特許請求の範囲から自明である。
【図面の簡単な説明】
【０００９】
【図１】広告主の窓口情報を有する例示的な出版広告である。
【図２】例示的な電子出版広告管理システムのブロック図である。
【図３】電子広告システムを提供する例示的なプロセスを示すフローチャートである。
【図４】総合広告窓口情報を提供するとともに、その効果を追跡する例示的なプロセスを示すフローチャートである
【図５】追跡メカニズムを有する例示的な電子広告管理システムのブロック図である。
【図６】例示的なコンピュータシステムの概略図である
【発明を実施するための形態】
【００１０】
様々な図面において同様の参照符号は、同様のエレメントを示している。
【００１１】
コンテンツ配布のための技術、方法、装置、およびシステムは、たとえば出版広告を含む広告を促進するために使用可能であることを説明する。出版広告は、たとえば新聞、マガジン、ジャーナル、定期刊行物、チラシ、パンフレット、および他の刊行物の出版で生じる広告である。本明細書では広告を掲載することを参照するが、開示されるシステム、方法、装置、および技術は、他の形式のスポンサー提供コンテンツを含む、他の形式のコンテンツを使用することができる。例示目的で、広告システムを説明する。刊行物に掲載される広告は、本明細書において「出版広告」と称する。
【００１２】
２つ以上の出版物に出版広告を掲載する広告主は、特定の出版物における掲載の効果を知ることを望み得る。すなわち、広告主のビジネスまたは問い合わせの割合は、出版広告の掲載後に増加し得るが、広告主は、たとえば、ある出版物における掲載が他よりも効果的であるかどうかを知ることを望み得る。さらに、広告主が、広告主に連絡するための２つ以上の手段（たとえば、電話番号およびウェブアドレス）を出版広告内に含めた場合、広告主は、広告主に連絡する手段のいずれが、出版広告に反応して最も使用されたかを知ることを望み得る。広告主が、複数の曜日、および／または複数の日付において続けて出版広告を掲載した場合、広告主は、いずれの曜日または日付がより効果的であったかを知ることを望み得る。
【００１３】
図１を参照すると、例示的な出版広告１００が示されている。出版広告１００は、カスタム広告コンテンツ１０２と、総合広告窓口情報を有するフッタ１０４とを有している。出版広告の読者が、広告主および／または宣伝されている製品に関するさらなる情報を得るための様々な手段（「広告窓口情報」）を総合広告窓口情報は有している。示されている特定の実施例において、総合広告窓口情報はフッタ１０４に含まれているが、他の実施例において、総合広告窓口情報はカスタム広告コンテンツ１０２に対して他の部分（たとえば、ヘッダに、またはカスタム広告コンテンツ１０２の片側に沿うように）に位置することができる。示されている例示的な出版広告１００において、広告窓口情報は、ウェブアドレス、コード（たとえばクーポンコード）、ウェブ検索用語、ＳＭＳ情報、および電話番号を有している。コードを除いて、広告窓口情報は、広告主、たとえばBlue Diamondに関する情報を得るために使用することができる。さらに以下で説明されるように、コードは、たとえば広告主（例としてBlue Diamond）から購入時に割引を受けるのに使用することができる。
【００１４】
出版広告１００内の一元的に識別可能な位置に広告窓口情報を提供することで、出版広告１００への読者の反応を促進することができる。たとえば、多様な出版物に掲載される多様な出版広告において総合広告窓口情報を提供するのに、フッタのフォーマットが一貫して使用される場合、フッタ１０４は、読者にとって即座に認識可能な広告窓口情報の情報源となることができる。カスタム広告コンテンツ１０２が読者に注目された場合、読者は、好みの広告窓口情報を得るためにフッタ１０４へ即座に引き付けられる。
【００１５】
さらに以下、広告窓口情報と、それが出版広告１００の効果を追跡するためにどのように使用され得るかとを説明する。しかし、この例示的な出版広告１００に関連付けて文脈を通す目的で、本明細書で開示される技術、コンピュータプログラム製品、およびシステムを実装するために使用することができる、１つの例示的な電子出版広告管理システムを説明するものとする。しかし、前記技術、コンピュータプログラム製品、およびシステムは、他のシステムにおいて実装することができるとともに、前記システムは、単に説明のための１つの例であることを理解すべきである。
【００１６】
図２は、例示的な電子出版広告管理システム２００のブロック図である。システム２００は、広告主２０２および発行者２０６を含んでいる。発行者２０６は、別のエンティティと合意して出版物のコンテンツ（たとえば出版広告）を発行する、またはコンテンツ（たとえば出版広告）を掲載するエンティティである。例示目的で、ある出版物への出版広告の掲載を参照する。本明細書に開示される方法、装置、およびシステムに従って、他の形式のコンテンツを他の形式のメディアで配布または発行することができる。広告主２０２は、あるメディアにコンテンツ（たとえば刊行物における出版広告）を掲載することを望んでいるエンティティである。広告主２０２は、出版広告の直接的な供給者（たとえば広告エンティティ）、または間接的な供給者（たとえば仲介者）であることが可能である。
【００１７】
前記システムは、広告システムマネージャ２０４をさらに有している。広告システムマネージャ２０４は、以下でさらに説明するように、たとえばオンライン出版広告市場を通じて、広告主２０２と発行者２０６との間を結びつけるように動作する。ローカルエリアネットワーク（ＬＡＮ）、ワイドエリアネットワーク（ＷＡＮ）、インターネット、またはそれらの組み合わせのような、コンピュータネットワーク２１０は、広告主２０２、広告システムマネージャ２０４、および発行者２０６を接続する。
【００１８】
図３は、たとえば、発行者２０６および広告主２０２のための電子広告システム２００（例としてオンライン市場）によって実施される、例示的なプロセス３００を示すフローチャートであり、前記プロセスの１つ以上のステップは、たとえば広告システムマネージャ２０４によって実行することができる。利用可能な出版広告スペースは、識別される（ステップ３０２）。たとえば、発行者２０６は、利用可能な出版広告スペースに関して、広告システムマネージャ２０４に情報を提供することができる。発行者の情報は、出版物の名前、出版物が出版される日付もしくは曜日、出版物における出版広告スペースの位置、出版広告スペースのサイズおよびレイアウト、出版広告が白黒、カラー、もしくはそのいずれかで掲載されるかどうか、ならびに／または発行者が利用可能な出版広告スペースを販売するために提供したい他の情報を含むことができる。
【００１９】
利用可能な出版広告スペースの発行者に関連づけられた情報は、広告主に提供される（ステップ３０４）。たとえば、広告システムマネージャ２０４は、発行者２０６によって提供された発行者の情報を広告主２０２が利用できるようにする、オンライン市場を提供することができる。一実施例において、オンライン市場は、ウェブサイトである。この実施例において、広告を掲載したい発行者に関する特定の選択を広告主２０２がそれを通して入力することができるグラフィカルユーザインタフェース（ＧＵＩ）を広告主２０２は与えられる。たとえば、ＧＵＩは、チェックボックス、ドロップダウンメニュー、ラジオコントロール、データ入力フィールド、および／もしくは他のユーザ入力コントロール、またはそれらの組み合わせを有することができる。一実施例において、ウェブサイトは検索機能を有している。たとえば、広告主２０２が特定の地理的位置における新聞を検索したい場合、広告主２０２は、広告主２０２の地理的基準に合う１つ以上の新聞を識別するために検索機能を使用することができるが、検索クエリは、同様に異なる検索基準および／または他の検索基準に基づくことができる。
【００２０】
広告主は、広告主がその出版広告の掲載に関心がある１つ以上の発行者を選択する。（ステップ３０６）。たとえば、広告システムマネージャ２０４によって提供されるウェブサイトを使用して、広告主２０２は、ウェブサイトに含まれている発行者情報に基づいて、広告主２０２が広告の掲載に関心がある１つ以上の発行者２０６を選択するための入力を広告システムマネージャに提供することができる。説明のための例示目的で、ある新聞での出版広告の掲載に関心がある広告主２０２について検討する。この例において、発行者２０６は、新聞社である。広告主２０２は、たとえば地理、発行部数、利用可能な広告サイズ、利用可能な欄（section）、および他の基準のような因子に基づいて、特定の新聞の発行者２０６を選択することができる。発行者２０６が、それらの因子に関連する発行者情報を広告システムマネージャ２０４に提供している範囲に対して、広告主２０２は、新聞の発行者２０６を選択する際に、広告システムマネージャ２０４を通してこの情報にアクセスしている。
【００２１】
広告主は、選択した発行者に対する１つ以上の出版広告のオファーを作る（ステップ３０７）とともに、広告システムマネージャにオフォーを提出することができる。オファーは、広告の掲載代金として広告主が望んでいる価格を含む、その広告に関連付けられた特定の条件を含むことができる。たとえば、広告主２０２は、選んだ新聞の発行者２０６の各々に対して、曜日、所望の新聞の欄、および広告サイズのような、所望の広告に関連する様々なパラメータを選択することができる。広告主２０２は、「入札金額」（たとえば、選択した日付または曜日における選んだ新聞の欄での選択した広告サイズの広告の掲載代金として、広告主２０２が望んでいる価格）を入力することができる。入札金額を有する広告主の入力は、広告主の「オファー」を構成することができる。
【００２２】
ステップ３０８で、オファーは対応する発行者に提出される。たとえば、広告システムマネージャ２０４は、広告主のオファーを対応する発行者２０６に提出することができる。いくつかの実施例において、オファーを提出するステップは、オファーに関する情報を有する、発行者への電子メッセージを送信するステップを有している。いくつかの実施例において、オファーを提出するステップは、広告システムマネージャ２０４によって管理されているウェブサイトの一部分上で利用可能なオファーに関する情報（適切な発行者に対してのみアクセス可能であってもよい）を作るステップを有することができる。いくつかの実施例において、オファーを提出するステップは、ウェブサイトの特定部分で利用可能なオファーを作るステップと、電子メッセージによってオファーの存在を適切な発行者に通知するステップとを含むことができる。各発行者２０６は、オファーを承認するか、または拒否するかのいずれかによって応答することができる。一実施例において、発行者２０６は、オファーを拒否することができるが、オファーが承認されなかった理由に関して、広告主２０２とオンライン（またはオフライン）対話を開始するとともに、両者の満足する合意に達するように、二者は試みることができる。
【００２３】
オファーが承認された場合（判定ステップ３０９の分岐「Ｙｅｓ」）、出版広告コンテンツを提出することができる（ステップ３１０）。たとえば、広告主２０２は、対応する出版広告コンテンツを発行者２０６に電子的に提出することができる。代替として、広告主は、オファーと一緒に出版広告コンテンツを提供することができる。一実施例において、広告主２０２は、出版広告コンテンツを有する電子ファイルを広告システムマネージャ２０４にアップロードするとともに、広告システムマネージャ２０４は、電子ファイルを発行者２０６に提供する（ステップ３１２）。
【００２４】
オファーが拒否された場合（判定ステップ３０９の分岐「Ｎｏ」）、発行者のフィードバックが受信されているかどうかを判定するためのチェックを行うことができる（ステップ３１１）。そうである場合（判定ステップ３１１の分岐「Ｙｅｓ」）、広告主と発行者との間の任意のセッション（その間にたとえば、広告主および発行者は、広告掲載に関連付けられた条件の交渉を継続することができる）を開始することができる（ステップ３１７）発行者のフィードバックが受信されていない場合（判定ステップ３１１の分岐「Ｎｏ」）、プロセス３００を終了することができる（ステップ３２０）。たとえば、発行者が、オファーが拒否された理由に関してコメントまたはフィードバックを広告主２０２に提供しなかった場合、プロセスは終了する。しかし、発行者２０６が、広告主２０２にフィードバックを提供した場合、広告主２０２は、修正したオファーを提供する（判定ステップ３２２の分岐「Ｙｅｓ」）動機を与えられるとともに、プロセスはステップ３０９に戻り得る。そうでない場合、広告主２０２は修正したオファーを提供せず（判定ステップ３２２の分岐「３２２」）、プロセスは終了する（ステップ３２０）。
【００２５】
ステップ３１４は、コンプライアンスレポート（たとえば、電子ティアシート）の提出を具備している。たとえば、発行者２０６が広告を掲載したら（たとえば、選択された日付における新聞の所望の欄に広告を掲載する）、発行者２０６は、広告を掲載した証明を広告システムマネージャ２０４に提供することができる。一実施例において、電子ティアシートは、合意した条件に従って広告が掲載されたことの証明として、電子広告システムにアップロードすることができる。電子ティアシートは、出版物内に掲載された広告のイメージを有する、電子ファイルであるとともに、選択された日付における新聞の所望の欄において、さらに広告主の他の指定、たとえば、広告のサイズ、広告のカラー、フォントのサイズなどに従って、広告が掲載されたことを示すのに十分な情報を有することができる。一実施例において、電子ティアシートは、広告が掲載された出版物のページのスキャン表示を含むＰＤＦファイルである。
【００２６】
電子ティアシートが、発行者２０６によって広告システムマネージャ２０４にアップデートされると、広告システムマネージャ２０４は、電子ティアシートを広告主２０２に提供することができる。たとえば、広告システムマネージャ２０４は、アクセスの提供および電子メッセージの送信などの組み合わせを通して発行者がアクセスする、ウェブサイトの一部分においてアクセス可能な電子ティアシートを作ることによって、発行者に電子ティアシートを電子メッセージにより転送することができる。
【００２７】
広告システムマネージャ２０４は、広告が掲載されたと判定すると（たとえば電子ティアシートを受信することによって）、決済を完了することができる（たとえば、広告システムマネージャ２０４は、広告主２０２から入札金額を徴収するとともに、徴収された入札金額のうち発行者の割り当て分を発行者２０６に送ることができる）（ステップ３１６）。
【００２８】
いくつかの実施例において、広告システムマネージャ２０４は、広告を出すステップ（たとえば広告主２０２によってなされるステップ)、または広告スペースを販売するステップ（たとえば、発行者２０６によってなされるステップ）のいずれかの処理におけるステップの全てではないがその多くを自動化する。たとえば、広告システムマネージャ２０４は、各入力（たとえば、広告主のオファーおよび発行者の情報）に基づいて、広告主２０２と発行者２０６との間の適合を自動的に提供することができる。さらに、発行者２０６に広告コンテンツをアップロードおよび送信する電子機構を広告主２０２に設けることができる。合意したとおりに広告が掲載されたことを提示する（たとえば電子ティアシートの形式で）電子機構を発行者２０６に設けることができる。両者が合意の条件を満たすと（いくつかの実施例における広告システムマネージャ２０４による仲介の対象）、支払い（たとえば入札金額）が広告主２０２から自動的に徴収されるとともに、発行者は入札金額のうち発行者の割り当て分を与えられる。
【００２９】
好ましくは、たとえば複数の発行者の利用可能な出版広告スペースにアクセスするための中心機構（たとえば、広告システムマネージャのウェブサイト）を広告主２０２に設けることができる。それに対応して、利用可能な出版広告スペースに関する市場を発行者２０６に設けることができる。支払い機構（たとえば入札システム）は、広告主２０２に対して、広告主２０２が支払いを決めたものだけを支払うようにすることができるとともに、発行者２０６は、発行者２０６が最も望むオファーだけを承認するように選択することができる。
【００３０】
再び図１および２を参照すると、一実施例において、広告システムマネージャ２０４は広告主が総合広告窓口情報、たとえばフッタ１０４に含めたい広告窓口情報を、広告主が入力可能な１つ以上のＧＵＩを広告主２０２に提供することができる。すなわち、広告主は、ウェブアドレス、電話番号などを入力することができる。一実施例において、広告システムマネージャ２０４は、次いで広告窓口情報を有する総合広告窓口情報の標準形式、たとえばフッタ１０４を自動的に追加することできる。広告窓口情報は、フッタ１０４に示されている例の一部もしくは全てを含むことができる、および／または様々な形式の窓口情報を含むことができる。
【００３１】
フッタ１０４に含まれている１つ以上のアイテムは、出版広告１００への反応を追跡するために使用することができる。追跡機構を説明する例を以下に説明するが、他の形式の追跡機構も使用することができることを理解すべきである。
【００３２】
一実施例において、出版広告１００を出す際に、広告主２０２は、フッタ１０４に含まれている様々なアイテムに関連付けることができる追跡機構の一部または全てを有効にするように選択することができる。広告システムマネージャ２０４は、次いで１つ以上の追跡機構から収集された追跡データを管理するとともに、たとえば、定期的におよび／または要求に応じてのいずれかで利用可能なオンライン追跡レポートを広告主２０２に提供することによって、広告主２０２に追跡データを提供することができる。
【００３３】
フッタ１０４がウェブアドレスを有している場合、ウェブアドレスへのトラフィックの増加が追跡されるとともに、これは出版広告１００の効果の少なくとも一部分によるものである。ウェブトラフィックを追跡する１つの機構が、Google（商標）Inc.（カリフォルニア州マウンテンビュー）によって提供されているGoogle Analyticsサービスである。一実施例において、ウェブアドレスは、特に出版広告１００のために作成された特別なウェブページに関するものであることが可能である。したがって、ウェブユーザが特定のウェブページを利用するのに、ウェブユーザにとってＵＲＬを知る唯一の方法が、直接的（すなわち、出版広告を見ることによって）、または間接的（少なくとも出版広告を見た誰かからそのＵＲＬについて知ることによって）に出版広告１００からであるため、ウェブページへのトラフィックは、出版広告１００の効果によるものである。いくつかの実施例において、広告主１０４が特定の日付または曜日における出版広告１００の発行の効果を追跡することを望んでいる場合、広告主１０４は、特定の日付または曜日に対して異なるＵＲＬを出版広告１００に含めることができる。広告主１０４は、次いで特定の日付または曜日における出版広告１００に含まれているウェブページへのトラフィックと、別の日付または曜日における出版広告１００に含まれている異なるウェブページへのトラフィックとを比較することができる。同様に、広告主１０４が２つ以上の出版物に出版広告１００を出している場合、広告主１０４は、各出版物に掲載された出版広告１００に異なるウェブアドレスを含めることができるため、各出版物における出版広告１００の効果を個別に追跡することができる。
【００３４】
フッタがコードを有している場合、出版広告１００の読者は、たとえば広告主２０２から買い物をする際に、そのコードを使用することができる。コードが出版広告１００によってのみ提供された場合、広告主２０２の顧客によるコードの各使用は、出版広告１００の効果に起因するものである。一実施例において、特定の出版物内、および／または特定の日付もしくは曜日における出版広告１００の効果を追跡することができるように、異なるコードは、異なる出版物に、および／または異なる日付もしくは曜日において掲載された出版広告１００に含めることができる。広告システムマネージャがGoogle, Inc.であり、かつ広告主２０２がGoogle Inc.によって提供されているGoogle Checkoutサービスを使用する一実施例において、広告システムマネージャ（すなわちGoogle, Inc.）は、コードの使用を追跡することができる。
【００３５】
フッタがウェブ検索用語（たとえば、例示的なフッタ１０４に示されている検索用語「Blue Diamond 100」）を含んでいる場合、検索用語による広告主のウェブサイトへのトラフィックの増加を検索することができる。たとえば、広告システムマネージャがGoogle, Inc.であり、かつ広告主２０２がGoogle, Inc.によって提供されているGoogle AdWordsサービスを使用する場合、広告システムマネージャ（すなわち、Google, Inc.）は、Google AdWordsの追跡機能を通して検索用語の使用増加を追跡するとともに、使用増加の少なくとも一部を出版広告１００によるものであるとすることができる。
【００３６】
フッタがＳＭＳ情報を有している場合、提供されたＳＭＳ番号、たとえば33000に対して、フッタ１０４に含まれているテキストワードに対応するテキストメッセージ、たとえば「Blue」を追跡することができる。ＳＭＳ情報が出版広告１００によってのみ提供された場合、そのような受信されたテキストメッセージは、出版広告１００の効果によるものである。一実施例において、広告主２０２は、特定の出版物、および／または出版の特定の日付もしくは曜日に掲載される出版広告１００内に、異なるテキストワードおよび／またはＳＭＳ番号を含めることができる。したがって、特定の出版物、または特定の日付もしくは曜日に掲載された出版広告１００の効果を個別に追跡することができる。一実施例において、広告システムマネージャ２０２は、提供されたＳＭＳ番号に対するテキストメッセージを追跡することができるとともに、他の実施例において、広告主２０２または第３者がこのデータを追跡することができる。
【００３７】
フッタが電話番号を有している場合、広告に反応したその番号への呼を追跡することができる。電話番号、たとえば広告主の通常の電話番号に転送されるフリーダイヤルが出版広告によってのみ提供された場合、フリーダイヤルへの全ての呼は、出版広告１００の効果によるものである。一実施例において、広告主２０２は、特定の出版物、および／または出版物の特定の曜日もしくは日付に掲載される出版広告１００に異なる電話番号を含めることができる。したがって、特定の出版物、または特定の日付もしくは曜日に掲載された出版広告１００の効果を個別に追跡することができる。一実施例において、広告システムマネージャ２０２は、フリーダイヤルの電話番号を提供するとともに、その番号への呼を追跡することができる。他の実施例において、広告主２０２または第３者は、呼の追跡を管理することができる。
【００３８】
フッタがバーコードを有している場合、たとえばフッタ１０４に示されている位置１０６にバーコードが配置されている場合、出版広告１００の読者は、適切なバーコードリーダを用いてバーコードを読み取ることができる。たとえば携帯電話またはデジタルカメラのようなハンドヘルド電子装置は、バーコード１０６を読み取るように適合したバーコードリーダを含んでもよい。バーコードリーダは、バーコード内に符号化された広告窓口情報を、たとえば電話番号またはウェブアドレスを提供することができる。好ましくは、読者は、読み出した情報を自分の電子装置に保存することができるため、たとえば広告窓口情報を記録するのに、ペンも紙も不要である。別の実施例において、バーコード１０６から読み出された広告窓口情報がウェブアドレスを有している場合、バーコード１０６を読み取るのに使用される電子装置のウェブブラウザアプリケーションが起動されるとともに、ウェブアドレスに対応するウェブページが自動的に表示される。一実施例において、バーコードは、水平または垂直バーコードである。別の実施例において、バーコードは、２次元バーコード、たとえばＱＲ（quick response)コードである。バーコードから読み出された広告窓口情報は、上述の追跡機構、たとえば、電話番号に対する呼の追跡、または提供された情報に従う他の追跡技術を使用して追跡することができる。
【００３９】
上述のいくつかの窓口メトリックを追跡することによって、広告主２０２は、出版広告の読者が出版広告に対してどのように反応するかをより良く評価することができる。広告主２０２は、対象とする読者に対して、出版広告のコンセプト、デザイン、オファー、および掲載（たとえば、出版広告が掲載される出版物、および／またはその日付もしくは曜日）を繰り返す、および／または改良するための情報を使用することができる。
【００４０】
次に図４を参照すると、フローチャートは、広告窓口情報を有するとともに、出版広告内のそれに対する反応を追跡する、例示的なプロセス４００を図示している。例示的なプロセス４００は、たとえば、広告主と発行者との間でパイプとして動作する広告システムマネージャによってなされるステップを指向している。たとえば、広告システムマネージャは、図２のシステム２００に示されている広告システムマネージャ２０４であることが可能であり、広告主２０２に対して１つ以上の発行者２０６への広告の掲載を促進する。しかし、プロセス４００は、別に構成されたシステム内において、他の広告システムマネージャを有する他のシステムによって実施することができることを理解すべきである。
【００４１】
カスタム広告コンテンツは、広告窓口情報（ステップ４０４）と同様に、受信／識別される（ステップ４０２）。いくつかの実施例において、広告窓口情報は、カスタム広告コンテンツと同時に受信される。他の実施例において、たとえば広告主が、広告システムマネージャにアカウントを持っている場合、広告窓口情報はカスタム広告コンテンツよりも先に受信され、広告システムマネージャによって、たとえばデータストアから読み出すことができる。
【００４２】
カスタム広告コンテンツを有する広告（たとえば、出版広告）に総合広告窓口情報を含めるための入力を受信することができる（ステップ４０６）。たとえば、一実施例において、広告主が出版広告内に「標準フッタ」を含めたいかどうかを確認するためのプロンプトを広告主は、受信することができる（標準フッタは、総合広告窓口情報を有している）。広告主は、有効に応答するようにチェックボックスをチェックする、またはラジオボックスもしくは他のそのようなコントロールを有効にすることができる、広告主は、次いで、含める特定のタイプの広告窓口情報、たとえば、ウェブアドレス、電話番号などを選択するように促される、または広告窓口情報の初期設定セットを使用することができる（初期設定の選択は、広告主によって以前の時点で、または広告システムマネージャによってのいずれかで作られる）。すでに述べたように、総合広告窓口情報は、フッタとして含めることができるが、ヘッダまたはその他のような異なるフォーマットをとることもできる。
【００４３】
入力は、総合広告窓口情報に含まれている広告窓口情報の一部または全部を追跡する追跡機構を有効にするように受信された選択である（ステップ４０８）。
【００４４】
したがって、カスタム広告コンテンツと総合広告窓口情報との両方を有している出版広告が、出版物に対して（たとえば１つ以上の発行者に）提供される。広告システムマネージャが発行者である場合、広告システムマネージャは出版広告を発行する。したがって、総合広告窓口情報に含まれている広告窓口情報を使用した効果の追跡が提供される（ステップ４１２）。追跡データのレポートを生成することができる（たとえば、さらに広告主に提供される)（ステップ４１４）。
【００４５】
図５を参照すると、総合広告窓口情報を有する広告を提供するとともに、その効果を追跡する例示的なシステム５００が示されている。前記システムは、たとえばＬＡＮ、ＷＡＮ、インターネットまたはその他のようなネットワークを通じて、広告主５０２および発行者５０６と通信する、広告システムマネージャ５０４を含む。広告システムマネージャ５０４は、たとえば、ウェブブラウザ内で実行するアプリケーションを通してウェブページとして提供された、広告主ユーザインタフェース５０８を通じて広告主５０４と交信する。広告システムマネージャ５０６は、発行者インタフェース５１０を通して発行者５０６と交信する。
【００４６】
広告システムマネージャ５０４は、総合広告窓口モジュールを有している。総合広告窓口モジュール５１２は、総合広告窓口情報のフォーマット、たとえば図１に示されているフッタ１０４で、広告主によって（または広告システムマネージャ５０４によって）指定された広告窓口情報に適合するように構成されている。広告窓口情報は、広告主ユーザインタフェース５０８を通して広告主５０２から得ることができる、および／または以前に収集された広告窓口情報を有しているデータストア５１４から得ることができる。
【００４７】
広告システムマネージャ５０４は、広告モジュール５１６をさらに含んでいる。広告モジュール５１６は、広告主ユーザインタフェース５０８を通して広告主５０２からカスタム広告コンテンツを受信するとともに、総合広告窓口モジュール５１２から総合広告窓口情報を受信するように適合している。広告モジュール５１６は、カスタム広告コンテンツおよび総合広告窓口情報を有する出版広告を発行者インタフェース５１０を通して１つ以上の発行者５０６に提供するようにさらに適合している。
【００４８】
示された実施例において、広告システムマネージャ５０４は、追跡モジュール５１８を有しているが、他の実施例において、追跡モジュール５１８は、広告システムマネージャ５０４の外部であることも可能である。追跡モジュール５１８は、出版広告に含まれている総合広告窓口情報に関連する追跡データを受信する１つ以上の追跡機構と通信することができる。たとえば、示されている実施例において、追跡モジュール５１８は、コールトラッカ５２０、ＳＭＳサーバ５２２、チェックアウトシステム５２４、およびウェブトラフィックトラッカ５２６と通信する。示されている例において、追跡機構は広告システムマネージャ５０４の外部である。他の実施例において、追跡機構の一部または全部は、広告システムマネージャ５０４内に含めることができる。代替として、追跡モジュール５１８および追跡機構は、広告システムマネージャ５０４の外部であることが可能である。
【００４９】
広告窓口情報の流布および反応の追跡を一元管理するための上述の技術は、出版広告以外のコンテキストで使用することができる。たとえば、同様のフォーマットは、オーディオ広告、ビデオ広告、テレビ広告、またはオンライン広告において使用することができる。すなわち、広告窓口情報は、一貫性のある統合されたフォーマットで提供することができるとともに、追跡機構は、広告の効果を追跡するために使用することができる説明のための例示目的で、音声広告（たとえばラジオ広告）では、ラジオコマーシャルを形成しているカスタム広告コンテンツの直後に広告窓口情報を提供することができる。ウェブアドレスまたは電話番号が提供される場合、例として、上述したようなウェブトラフィックの追跡、および／または呼の追跡は、ラジオコマーシャルの効果を追跡するために使用することができる同様に、フッタ１０４と同様のテキスト表示は、ＴＶコマーシャル、またはオンライン広告に含めるとともに、それに含まれている広告窓口情報への反応を同様の方式で追跡することができる。
【００５０】
本発明、および本明細書に記載された全ての機能的動作は、デジタル電子回路、コンピュータハードウェア、ファームウェアソフトウェア、またはそれらの組み合わせで実施することができる。本発明の装置は、プログラマブルプロセッサによる実行のために、マシン可読記憶装置内に明白に具現化されたコンピュータプログラム製品に実装することができるとともに、本発明の方法のステップは、入力データに関して動作するとともに、出力を生成することによって本発明の機能を実施する命令のプログラムを実行するプログラマブルプロセッサによって実行することができる。
【００５１】
本発明は、好ましくは、データ記憶システム、少なくとも１つの入力装置、および少なくとも１つの出力装置からデータおよび命令を受信するとともに、データおよび命令を送信するように結合された少なくとも１つのプログラマブルプロセッサを有するプログラマブルシステム上で実行可能な１つ以上のコンピュータプログラムに実装することができる。各コンピュータプログラムは、上位手続き型もしくはオブジェクト指向型プログラミング言語に、または所望であればアセンブリ言語もしくは機械語で実装することができるとともに、いずれの場合でも、言語は、コンパイル言語またはインタプリタ言語であることが可能である。
【００５２】
適切なプロセッサは、例示目的で、汎用および特殊用途の両方のマイクロプロセッサを有している。一般にプロセッサは、リードオンリメモリ、および／またはランダムアクセスメモリから命令およびデータを受信する。一般に、コンピュータは、データファイルを保存するために１つ以上の大容量記憶装置を有している。そのような装置は、内蔵ハードディスクおよびリムーバブルディスクのような磁気ディスク、光磁気ディスク、光ディスクを有している。コンピュータプログラム命令およびデータを明白に具現化するのに最適な記憶装置は、例示目的で、ＥＰＲＯＭ、ＥＥＰＲＯＭ、およびフラッシュメモリ装置のような半導体メモリ装置、内蔵ハードディスクおよびリムーバブルディスクのような磁気ディスク、光磁気ディスク、ならびにＣＤ−ＲＯＭディスクを含む、全ての形式の不揮発性メモリを含んでいる。前述のいずれかは、ＡＳＩＣ（特殊用途集積回路）によって補完される、またはそれに組み込まれる。
【００５３】
ユーザとの相互作用を提供するために、本発明は、ユーザに対して情報を表示する、モニタまたはＬＣＤスクリーンのような表示装置と、ユーザがコンピュータシステムに入力を提供することができる、キーボード、およびマウスまたはトラックボールのようなポインティングデバイスとを有する、コンピュータシステム上で実施することができる。コンピュータ システムは、コンピュータプログラムがユーザと相互作用するグラフィカルユーザインタフェースを提供するようにプログラムすることができる。
【００５４】
図６を参照すると、例示的なコンピュータシステム６００の概略図が示されている。システム６００は、一実施例によると、図３および４に示されているプロセッサ３００および４００と関連付けられて説明される動作のために使用することができる。たとえば、１つ以上のシステム６００は、広告システムマネージャ２０４，広告主２０２，および／または発行者２０６（図２参照）をホスティングするサーバを実装するために使用することができる。
【００５５】
システム６００は、プロセッサ６１０、メモリ６２０、記憶装置６３０、および入力／出力装置６４０を有している。各コンポーネント６１０，６２０，６３０，および６４０は、たとえばシステムバス６５０を使用して相互接続することができる。プロセッサ６１０は、システム６００内での実行のための命令を処理する機能を有している。一実施例において、プロセッサ６１０は、シングルスレッドプロセッサである。別の実施例において、プロセッサ６１０は、マルチスレッドプロセッサである。プロセッサ６１０は、入力／出力装置６４０上のユーザインタフェースにグラフィカルな情報を表示するように、メモリ６２０または記憶装置６３０に記憶されている命令を処理する機能を有している。いくつかの実施形態において、ネットワークを通じて接続されたシステム６００の並列処理セットを使用して、１つ以上のサーバセンタにクラスタ化してもよい。
【００５６】
メモリ６２０は、システム６００内に情報を保存する。一実施例において、メモリ６２０は、コンピュータ可読媒体である。一実施例において、メモリ６２０は、揮発性メモリユニットである。別の実施例において、メモリ６２０は、不揮発性メモリユニットである。
【００５７】
記憶装置６３０は、システム６００に対して大容量記憶を提供する機能を有している。一実施例において、記憶装置６３０は、コンピュータ可読媒体である。多様な実施例において、記憶装置６３０は、たとえば、ハードディスク装置、光ディスク装置、またはいくつかの他の大容量記憶装置を有することができる。
【００５８】
入力／出力装置６４０は、システム６００に対して入力／出力動作を提供する。一実施例において、入力／出力装置６４０は、キーボードおよび／またはポインティングデバイスを有している。別の実施例において、入力／出力装置６４０は、グラフィカルユーザインタフェースに表示する表示ユニットを含んでいる。
【００５９】
本明細書を通してその用語が使用されているように、モジュールは、機能をカプセル化するハードウェアの一部であることが可能であり、ファームウェアであることが可能であり、またはソフトウェアアプリケーションであることが可能である。モジュールは、１つ以上の機能を実行することができるとともに、ハードウェアの一部、ファームウェア、またはソフトウェアは、本明細書に記載されたモジュールの２つ以上の機能を実行することができる。同様に、ハードウェアの２つ以上の部分、ファームウェア、および／またはソフトウェアは、本明細書に記載された単一モジュールの機能を実行するように使用することができる。
【００６０】
実施例は、記載された特定のシステムまたは処理に限定されない（当然、変化し得る）ことが理解される。本明細書で使用された専門用語は、特定の実施例のみを説明する目的のためであるとともに、限定することを意図するものではないことが同様に理解される。本明細書で用いられているように、単数形で表されているもの（特定の数を明示していないものを含む）は、内容が明らかにそうでないことを示していない限り複数形の指示対象を含んでいる。従って、たとえば、単に「発行者」と参照した場合は、２つ以上の発行者を含んでいるとともに、単に「広告」と参照した場合は、２つ以上または様々なタイプの広告の組み合わせを含んでいる。
【００６１】
多数の実施例を説明した。しかし、本発明の趣旨および範囲から逸脱せずに様々な変更をなし得ることは理解されるであろう。したがって、他の実施例は本出願の範囲内である。
【符号の説明】
【００６２】
１０２  カスタム広告コンテンツ
１０４  標準フッタ
２００  電子出版広告管理システム
２０４  広告システムマネージャ
２０６  発行者
２０４  広告主
【図１】
2011503751.tif 000003
【図２】
2011503751.tif 000004
【図３】
2011503751.tif 000005
【図４】
2011503751.tif 000006
【図５】
2011503751.tif 000007
【図６】
2011503751.tif 000008
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
カスタム広告コンテンツを識別するステップと、
広告窓口情報を識別するステップと、
前記カスタム広告コンテンツを有する広告内に提供される、前記広告窓口情報の少なくとも一部を選択する入力を受信するステップと、
前記一部に関連付けられた１つ以上の追跡機構を有効にする選択入力を受信するステップと、
前記カスタム広告コンテンツおよび前記一部を有する広告を発行者に提供するステップと、
前記一部を使用して前記広告の効果を追跡するステップと、
前記広告の効果を報告するステップと
を有する動作を１つ以上のコンピュータにおいて実行するステップを具備することを特徴とする方法。
【請求項２】
前記広告は、出版広告であることを特徴とする請求項１に記載の方法。
【請求項３】
前記一部は、広告窓口情報のアイテムを符号化するバーコードを有するとともに、
前記広告の効果を追跡するステップは、前記広告窓口情報のアイテムの効果を追跡するステップを有することを特徴とする請求項１または２に記載の方法。
【請求項４】
前記バーコードは、２次元バーコードであることを特徴とする請求項３に記載の方法。
【請求項５】
前記バーコード内に符号化された広告窓口情報は、前記バーコードを読み取るために使用される電子装置に、前記電子装置内のウェブブラウザアプリケーションを起動させるとともに、前記ウェブアドレスに対応するウェブページを自動的に表示させるのに適合したウェブアドレスを有することを特徴とする請求項３に記載の方法。
【請求項６】
前記一部はウェブアドレスを有するとともに、
前記広告の効果を追跡するステップは、前記ウェブアドレスへのウェブトラフィックを追跡するステップを有することを特徴とする請求項１または２に記載の方法。
【請求項７】
前記一部はコードを有するとともに、
前記広告の効果を追跡するステップは、前記コードの使用を追跡するステップを有することを特徴とする請求項１または２に記載の方法。
【請求項８】
前記一部は電話番号を有するとともに、
前記広告の効果を追跡するステップは、前記電話番号への呼を追跡するステップを有することを特徴とする請求項１または２に記載の方法。
【請求項９】
前記電話番号はフリーダイヤル番号であり、
前記方法は、
前記一部にフリーダイヤル番号を含める要求を受信するステップと、
前記要求に応答して、前記一部に含めるようにフリーダイヤル番号を選択するとともに、前記フリーダイヤルへの呼を、前記要求をしている広告主に関連する電話番号に転送するステップと
をさらに具備することを特徴とする請求項４に記載の方法。
【請求項１０】
前記一部はＳＭＳ情報を有するとともに、
前記広告の効果を追跡するステップは、前記ＳＭＳ情報に対応するテキストメッセージを追跡するステップを有することを特徴とする請求項１または２に記載の方法。
【請求項１１】
前記一部はウェブ検索用語を有するとともに、
前記広告の効果を追跡するステップは、前記ウェブ検索用語を使用してウェブ検索クエリの増加を追跡するステップを有することを特徴とする請求項１または２に記載の方法。
【請求項１２】
前記一部は、前記広告の下部に含まれているフッタに含まれることを特徴とする請求項１または２に記載の方法。
【請求項１３】
前記一部は、前記広告の上部に含まれているヘッダに含まれることを特徴とする請求項１または２に記載の方法。
【請求項１４】
前記一部は、前記広告のサイドに沿って配置されることを特徴とする請求項１または２に記載の方法。
【請求項１５】
広告窓口情報の一部を識別するステップは、予め収集された広告窓口情報を有するデータストアから前記広告窓口情報を読み出すステップを具備することを特徴とする請求項１に記載の方法。
【請求項１６】
前記広告は、テレビにおける広告を有することを特徴とする請求項１に記載の方法。
【請求項１７】
前記広告は、音声広告を有することを特徴とする請求項１に記載の方法。
【請求項１８】
前記広告は、オンラインで発行された広告であるとともに、インターネットを通じて利用可能であることを特徴とする請求項１に記載の方法。
【請求項１９】
複数の広告主とのインタフェースに適合したユーザインタフェースと、
前記ユーザインタフェースによって、広告主から広告窓口情報を受信するように構成された総合広告窓口情報モジュールと、
前記総合広告窓口情報モジュールから前記広告窓口情報の少なくとも一部を受信し、前記ユーザインタフェースによって、広告主から広告コンテンツを受信するとともに、前記広告コンテンツおよび前記広告窓口情報の一部を有する広告を出版物に提供するように構成された広告モジュールと、
前記広告窓口情報の一部を使用して前記広告の効果を追跡するとともに、追跡データを広告主に提供するように構成された追跡モジュールと
を具備することを特徴とするシステム。
【請求項２０】
前記一部は、広告窓口情報のアイテムを符号化するバーコードを有するとともに、
前記広告の効果を追跡するように構成された追跡モジュールは、前記広告窓口情報のアイテムの効果を追跡するように構成された追跡モジュールを具備することを特徴とする請求項１９に記載のシステム。
【請求項２１】
前記バーコード内に符号化された広告窓口情報は、前記バーコードを読み取るために使用される電子装置に、前記電子装置内のウェブブラウザアプリケーションを起動させるとともに、前記ウェブアドレスに対応するウェブページを自動的に表示させるのに適合したウェブアドレスを有することを特徴とする請求項２０に記載のシステム。
【請求項２２】
前記一部はウェブアドレスを有するとともに、
前記広告の効果を追跡するように構成された追跡モジュールは、前記ウェブアドレスへのウェブトラフィックを追跡するように構成された追跡モジュールを具備することを特徴とする請求項１９に記載のシステム。
【請求項２３】
前記一部はコードを有するとともに、
前記広告の効果を追跡するように構成された追跡モジュールは、前記コードの使用を追跡するように構成された追跡モジュールを具備することを特徴とする請求項１９に記載のシステム。
【請求項２４】
前記一部は電話番号を有するとともに、
前記広告の効果を追跡するように構成された追跡モジュールは、前記電話番号への呼を追跡するように構成された追跡モジュールを具備することを特徴とする請求項１９に記載のシステム。
【請求項２５】
前記一部はＳＭＳ情報を有するとともに、
前記広告の効果を追跡するように構成された追跡モジュールは、前記ＳＭＳ情報に対応するテキストメッセージを追跡するように構成された追跡モジュールを具備することを特徴とする請求項１９に記載のシステム。
【請求項２６】
前記一部はウェブ検索用語を有するとともに、
前記広告の効果を追跡するように構成された追跡モジュールは、前記ウェブ検索用語を使用してウェブ検索クエリの増加を追跡するように構成された追跡モジュールを具備することを特徴とする請求項１９に記載のシステム。
【請求項２７】
予め収集された広告窓口情報を有するデータストアをさらに具備し、
広告窓口情報の一部を識別するステップは、前記データストアから前記広告窓口情報の一部を読み出すステップを具備することを特徴とする請求項１９に記載のシステム。
【請求項２８】
カスタム広告コンテンツを識別する手段と、
広告窓口情報を識別する手段と、
前記カスタム広告コンテンツを有する出版広告内に提供される、前記広告窓口情報の一部を選択する入力を受信する手段と、
前記一部に関連付けられた１つ以上の追跡機構の有効を選択する入力を受信する手段と、
前記カスタム広告コンテンツ及び前記一部を有する出版広告を発行者に提供する手段と、
前記一部を使用して前記出版広告の効果を追跡する手段と、
前記出版広告の効果を報告する手段と
を具備することを特徴とするシステム。
【国際調査報告】
2011503751.tif 000009
2011503751.tif 000010